(57)【特許請求の範囲】
【請求項１】
筐体または通路の開口部を開閉するガラス扉において、
正面形が方形の板ガラスの上下および左右の縁を、それぞれ、上枠材、下枠材、および左右の縦枠材により覆い、かつ縦枠材の上下部を、前記上枠材および下枠材に結合し、さらに、前記上枠材および下枠材との結合部分を含めて、左右の縦枠材に、内端部が開口する薄型中空箱状をなし、かつ扉の強度を担う抗力側枠を被嵌して、固着することにより、前面に露呈する板ガラスの上下幅を極力大としたことを特徴とするガラス扉。
【請求項２】
抗力側枠を、縦枠材の前面と外側面とを覆う表面材と、表面材の裏面に着脱可能として取り付けた裏面材とにより構成したことを特徴とする請求項１記載のガラス扉。
【請求項３】
縦枠材の内側面に設けた内向きの突片と、裏面材の内端部を前方に向けて折曲形成した前向片の前端とにより、板ガラスの側端部を前後から挾持したことを特徴とする請求項２記載のガラス扉。
【請求項４】
上枠材、下枠材、および左右の縦枠材を、アルミニューム合金の押出材により形成し、かつ抗力側枠を、鋼板により形成したことを特徴とする請求項１〜３のいずれかに記載のガラス扉。
【請求項５】
上枠材における基部の前面上縁、および下枠材における基部の前面下縁に、板ガラスの上縁および下縁に係合するガラス保持部を設けたことを特徴とする請求項１〜４のいずれかに記載のガラス扉。
【請求項６】
扉の基端側となる抗力側枠に、ヒンジ装置を取り付けたことを特徴とする請求項１〜５のいずれかに記載のガラス扉。
【請求項７】
扉の遊端側となる抗力側枠に、把手を所要角度回動可能として装着するとともに、ラッチ装置を、把手の回動操作に連動して、筐体または通路の開口部に係脱可能として装着したことを特徴とする請求項１〜６のいずれかに記載のガラス扉。
【請求項８】
扉の遊端側となる抗力側枠に、施錠装置を設けたことを特徴とする請求項１〜７のいずれかに記載のガラス扉。
【発明の詳細な説明】
【技術分野】
【０００１】
本発明は、筐体または通路の開口部を開閉するガラス扉に関する。
【背景技術】
【０００２】
キャビネットの筐体の開口部を開閉する扉や、屋内の通路の開口部を開閉する引戸や吊戸等を、板ガラスにより形成したものは従来からある。
例えば、テレビ台等のように小型のものでは、扉の全面を板ガラスにより形成し、それに直接蝶番やマグネットキャッチ等を取り付けたものがあるが、扉が大型となると、扉の全面を板ガラスにより形成することは強度的に困難となり、ほとんどの場合、板ガラスの四周を、強力なサッシュにより囲むか、または扉を形成する板材の中央部に窓孔を形成し、その窓孔に板ガラスを嵌め込んでいるのが現状である(例えば特許文献１〜３参照)。
【特許文献１】実開平６−４５０５９号公報
【特許文献２】特開２００１−９０４４２号公報
【特許文献３】特開２００３−２７８４５１号公報
【発明の開示】
【発明が解決しようとする課題】
【０００３】
しかし、上記特許文献１〜３に記載されているガラス扉によると、板ガラスの四周が、広幅のサッシュにより囲まれているため、板ガラスの部分が制約され、板ガラスを通しての視認性や扉全体の体裁が悪い。
【０００４】
本発明は、従来の技術が有する上記のような問題点に鑑み、扉全体の強度を低下させることなく、前面に現れる板ガラスの上下寸法を大とすることにより、板ガラスを通しての視認性や扉全体の体裁を向上しうるようにしたガラス扉を提供することを目的としている。
【課題を解決するための手段】
【０００５】
本発明によると、上記課題は、次のようにして解決される。
(１)  筐体または通路の開口部を開閉するガラス扉において、正面形が方形の板ガラスの上下および左右の縁を、それぞれ、上枠材、下枠材、および左右の縦枠材により覆い、かつ縦枠材の上下部を、前記上枠材および下枠材に結合し、さらに、前記上枠材および下枠材との結合部分を含めて、左右の縦枠材に、内端部が開口する薄型中空箱状をなし、かつ扉の強度を担う抗力側枠を被嵌して、固着することにより、前面に露呈する板ガラスの上下幅を極力大とする。
【０００６】
(２)  上記(１)項において、抗力側枠を、縦枠材の前面と外側面とを覆う表面材と、表面材の裏面に着脱可能として取り付けた裏面材とにより構成する。
【０００７】
(３)  上記(２)項において、縦枠材の内側面に設けた内向きの突片と、裏面材の内端部を前方に向けて折曲形成した前向片の前端とにより、板ガラスの側端部を前後から挾持する。
【０００８】
(４)  上記(１)〜(３)項のいずれかにおいて、上枠材、下枠材、および左右の縦枠材を、アルミニューム合金の押出材により形成し、かつ抗力側枠を、鋼板により形成する。
【０００９】
(５)  上記(１)〜(４)項のいずれかにおいて、上枠材における基部の前面上縁、および下枠材における基部の前面下縁に、板ガラスの上縁および下縁に係合するガラス保持部を設ける。
【００１０】
(６)  上記(１)〜(５)項のいずれかにおいて、扉の基端側となる抗力側枠に、ヒンジ装置を取り付ける。
【００１１】
(７)  上記(１)〜(６)項のいずれかにおいて、扉の遊端側となる抗力側枠に、把手を所要角度回動可能として装着するとともに、ラッチ装置を、把手の回動操作に連動して、筐体または通路の開口部に係脱可能として装着する。
【００１２】
(８)  上記(１)〜(７)項のいずれかにおいて、扉の遊端側となる抗力側枠に、施錠装置を設ける。
【発明の効果】
【００１３】
請求項１記載の発明によると、板ガラスの上下および左右の縁を、それぞれ、上枠材、下枠材、および左右の縦枠材により覆い、かつ縦枠材の上下部を、前記上枠材および下枠材に結合し、さらに、左右の縦枠材に、内端部が開口する薄型中空箱状をなし、扉の強度を担う抗力側枠を嵌合して、固着してあるので、扉全体の強度を低下させることなく、前面に露呈する板ガラスの面積を極力大とすることができ、板ガラスを通しての視認性や扉全体の体裁を向上させることができる。
特に、両側部に抗力側枠を設けてあるので、扉全体の曲げ強度を高めることができるとともに、扉の開閉時における他物との衝突から、板ガラスを防護することができ、しかも、抗力側枠を利用して、ヒンジ装置、把手、ラッチ、施錠装置等の取付強度を必要とする部材を強固に取り付けることができる。
【００１４】
請求項２記載の発明によると、抗力側枠を、縦枠材の前面と外側面とを覆う表面材と、表面材の裏面に着脱可能として取り付けた裏面材とにより構成してあるので、それらと板ガラス等との組み付け作業を容易に行うことができるとともに、それらに、ヒンジ装置、把手、ラッチ、施錠装置等を取り付ける際にも、裏面材を外せると、作業性がよくなる。
【００１５】
請求項３記載の発明によると、縦枠材の内側面に設けた内向きの突片と、裏面材の内端部を前方に向けて折曲形成した前向片の前端とにより、板ガラスの側端部を前後から挾持するようにしてあるので、板ガラスを、縦枠材と抗力側枠とにより、強固に支持することができるとともに、板ガラスの見切り部分の体裁をよくすることができる。
【００１６】
請求項４記載の発明によると、上枠材、下枠材、および左右の縦枠材を、アルミニューム合金の押出材により形成し、かつ抗力側枠を、鋼板により形成してあるので、アルミニューム合金の材質により、板ガラスの割れを防止するための剛性の維持と軽量化を図ることができ、また鋼板により、全重量を支えるとともに、他物との衝突から板ガラスを防護するための強度を持たせることができる。
【００１７】
請求項５記載の発明によると、上枠材における基部の前面上縁、および下枠材における基部の前面下縁に、板ガラスの上縁および下縁に係合するガラス保持部を設け、板ガラスの上下には、このガラス保持部しか存在しないようにしたので、扉の前面に現れる板ガラスの上下寸法を大とすることができ、板ガラスを通しての視認性や扉全体の体裁をよくすることができる。
【００１８】
請求項６記載の発明によると、扉の基端側となる抗力側枠に、ヒンジ装置を取り付けてあるので、ヒンジ装置を、ガラス扉に強固に取り付けることができるとともに、ヒンジ装置に連結された扉の基端側となる抗力側枠により、ガラス扉の全荷重を支えることができる。
【００１９】
請求項７記載の発明によると、扉の遊端側となる抗力側枠の中空部を利用して、把手とラッチ装置とを、強固に、体裁よく取り付けることができる。
【００２０】
請求項８記載の発明によると、扉の遊端側となる抗力側枠の中空部を利用して、施錠装置を、強固に、体裁よく取り付けることができる。
【発明を実施するための最良の形態】
【００２１】
以下、本発明の実施形態を、図面に基づいて説明する。
図１は、本発明の一実施形態を備えるキャビネットの外観斜視図、図２は、図１のII−II線拡大縦断側面図、図３は、図１のIII−III線拡大横断平面図、図４および図５は、各部の拡大分解斜視図である。
【００２２】
図１に示すように、このキャビネットは、左右１対の側板(１)と、天板(２)と、底板(３)と、後面板(図示略)とからなる前面が開口する筐体(４)における左右の側板(１)の前端に、両開き式の左右１対のガラス扉(５)(５)を、上下１対のヒンジ装置(６)(６)をもって、枢着したものである。
【００２３】
左右のガラス扉(５)(５)は、後述する施錠装置(56)が右方のもののみに設けられていることを除いては、ほぼ左右対称の同一構造であるため、以下右方のガラス扉(５)のみについて詳細に説明する。
【００２４】
図１〜図５に示すように、右方のガラス扉(５)は、正面形が縦長方形の板ガラス(７)の上下および左右の縁を、それぞれ、アルミニューム合金の押出材により形成した上枠材(８)、下枠材(９)、および左右の縦枠材(10)(11)により覆い、各縦枠材(10)(11)の上下の端部を、上枠材(８)および下枠材(９)の左右の端部に、固定ねじ(12)(図４および図５参照)をもって固着し、かつ左右の縦枠材(10)(11)に、それとほぼ同一の上下方向の長さを有し、かつ内端部が開口する薄型中空箱状の鋼板製の抗力側枠(13)(14)を嵌合して、固着したものである。
【００２５】
図２に示すように、上枠材(８)における角柱状の基部(8a)の前面上縁には、前方に突出し、かつ下面に、板ガラス(７)の上端部が嵌合するようにした横長の係合溝(15)を有するガラス保持部(8b)が設けられており、また下枠材(９)における角柱状の基部(9a)の前面下縁には、前方に突出し、かつ上面に、板ガラス(７)の下端部が嵌合するようにした横長の係合溝(16)を有するガラス保持部(9b)が設けられている。
【００２６】
図３に示すように、左方の縦枠材(10)は、断面形状が前後方向に長い長方形をなす基部(10a)と、この基部(10a)の内面前端縁より内方と前方とに突出する突片(10b)とを有しており、突片(10b)の外側面には、上下方向を向く狭幅の係合溝(17)が設けられている。
【００２７】
右方の縦枠材(11)は、断面形状が左右方向に長い長方形をなす基部(11a)と、この基部(11a)の内面前端縁より内方と前方とに突出する突片(11b)とを有しており、突片(11b)の外側面には、上下方向を向く狭幅の係合溝(18)が設けられている。また、基部(11a)の後面における内端縁には、後方を向く突片(11c)が設けられている。
【００２８】
左右の抗力側枠(13)(14)は、縦枠材(10)(11)の前面と外側面とを覆う表面材(19)(20)と、表面材(19)(20)の裏面に着脱可能として取り付けた裏面材(21)(22)とにより構成されている。
【００２９】
図３および図４に示すように、左方の抗力側枠(13)における表面材(19)は、前面板(23)と、その外側端より後方を向く外側片(24)と、外側片(24)の後端より内側方を向く内向片(25)と、内向片(25)の内端より前方を向く短寸の前向片(26)と、前面板(23)の上端より後方を向く上片(27)と、上片(27)の後端より垂下する垂下片(28)とを備えている。また表面材(19)は、前面板(23)の下端に、上片(27)および垂下片(28)と上下対称の下片および起立片を備えているが、それらについては、図示を省略してある。
【００３０】
前面板(23)の後面には、上下方向を向く補強部材(30)が、溶接により固着されている。
表面材(19)は、前面板(23)の内端部が、縦枠材(10)における係合溝(17)に嵌合し、前面板(23)の後面が、縦枠材(10)における基部(10a)の前面に当接し、補強部材(30)の内側面が、縦枠材(10)における基部(10a)の外側面に当接するようにして、縦枠材(10)に外側方から被嵌され、かつ縦枠材(10)における基部(10a)の外側面に、補強部材(30)を、複数の固定ねじ(31)(図３および図４には、その中の１個のみを図示)をもってねじ止めすることにより、縦枠材(10)に強固に固着されている。
【００３１】
裏面材(21)は、表面材(19)の前面板(23)と平行をなす後面板(32)と、その内端部を前方に向けて折曲形成した前向片(33)と、後面板(32)の外端部を前方に向けて折曲形成した前向片(34)とを備えている。
外側の前向片(34)と後面板(32)との角部には、凹入段部(35)が設けられ、また前向片(34)の前端部外側面には、複数の外向き係合爪(36)(その中の１個のみを図示)が、上下方向に並べて設けられている。
【００３２】
裏面材(21)は、その前向片(33)の前端が、板ガラス(７)の側端部後面に当接して、縦枠材(10)の内側面に設けた内向きの突片(10b)と前向片(33)の前端とにより、板ガラス(７)の側端部を前後から挾持するようにして、また後面板(32)の前面が、縦枠材(10)の後面に当接し、かつ係合爪(36)が、表面材(19)における前向片(26)の前縁に係合するようにして、後面板(32)を、複数の固定ねじ(37)(図３には、その中の１個のみを図示)をもって、縦枠材(10)にねじ止めすることにより、縦枠材(10)および表面材(19)に強固に固着されている。
【００３３】
図３および図５に示すように、右方の抗力側枠(14)における表面材(20)は、前面板(38)と、その外側端より後方を向く外側片(39)と、外側片(39)の後端より内側方を向く内向片(40)と、内向片(40)の内端より前方を向く短寸の前向片(41)と、前面板(38)の上端より後方を向く上片(42)と、上片(42)の後端より垂下する垂下片(43)とを備えている。また表面材(20)は、前面板(38)の下端に、上片(42)および垂下片(43)と上下対称の下片および起立片を備えているが、それらについては、図示を省略してある。
【００３４】
前面板(38)の後面には、上下方向を向く補強部材(44)が、溶接により固着されている。
補強部材(44)は、前面板(38)の後面に溶接された垂直の基片(44a)と、基片(44a)の左右の端部から後方を向く１対の後向片(44b)(44c)と、左方の後向片(44b)の後端より内側方を向く内向片(44d)と、この内向片(44d)の内端より後方を向く第２後向片(44e)と、第２後向片(44e)の後端より内側方を向く第２内向片(44f)と、右方の後向片(44c)の後端より外側方を向く外向片(44g)とを備えている。
【００３５】
表面材(20)は、前面板(38)の内端部が、縦枠材(11)における係合溝(18)に嵌合し、前面板(38)の後面が、縦枠材(11)における基部(11a)の前面に当接し、補強部材(44)の後向片(44b)が、縦枠材(11)の外側面に、同じく内向片(44d)が、縦枠材(11)の後面にそれぞれ当接するようにして、縦枠材(11)に外側方から被嵌され、かつ縦枠材(11)における基部(11a)の後面に、補強部材(44)の内向片(44d)を、複数の固定ねじ(45)(図３および図５には、その中の１個のみを図示)をもってねじ止めすることにより、縦枠材(11)に強固に固着されている。
【００３６】
裏面材(22)は、表面材(20)の前面板(38)と平行をなす後面板(46)と、その内端部を前方に向けて折曲形成した前向片(47)と、後面板(46)の外端部を前方に向けて折曲形成した前向片(48)と、前向片(48)の前端部を外側方に向けて折曲形成した外向き係合片(49)とを備えている。
【００３７】
裏面材(22)は、その前向片(47)の前端が、板ガラス(７)の側端部後面に当接して、縦枠材(11)の内側面に設けた内向きの突片(11b)と前向片(47)の前端とにより、板ガラス(７)の側端部を前後から挾持するようにして、また後面板(46)の前面が、補強部材(44)の内向片(44f)の後面に当接し、かつ外向き係合片(49)が、表面材(20)における前向片(41)の前端と補強部材(44)の外向片(44g)との間の間隙内に挿入されるようにして、後面板(46)を、複数の固定ねじ(50)(図３には、その中の１個のみを図示)をもって、補強部材(44)の内向片(44f)にねじ止めすることにより、縦枠材(11)および表面材(20)に強固に固着されている。
【００３８】
板ガラス(７)は、上述のように、その上下部が、上枠材(８)におけるガラス保持部(8b)の下面の係合溝(15)と、下枠材(９)におけるガラス保持部(9b)の上面の係合溝(16)にそれぞれ嵌合され、かつ左右の端部が、縦枠材(10)(11)の突片(10b)(11b)と、裏面材(21)(22)の前向片(33)(47)の前端とにより前後から挾持されて、ガラス扉(５)に強固に保持されている。
【００３９】
このようにして形成されたガラス扉(５)の基端側となる右方の抗力側枠(14)には、上下１対のヒンジ装置(６)(６)における可動片(52)が取り付けられ、各ヒンジ装置(６)における固定片(53)を、筐体(４)における側板(１)の前部内側面に固着することにより、ガラス扉(５)は、筐体(４)の前面に強固に枢着されている。
ヒンジ装置(６)は、ガラス扉(５)の開閉動作に連動して、可動片(52)が固定片(53)に対して前後動する公知の構成のものとしてあるが、上下方向を向く１本のヒンジ軸(図示略)をもって、可動片(52)と固定片(53)とが互いに枢着された周知の構成のものとしてもよい。
【００４０】
ガラス扉(５)の遊端側となる左方の抗力側枠(13)には、把手(54)とラッチ装置(55)と施錠装置(56)とが設けられている。
図１および図３に示すように、把手(54)は、左方の抗力側枠(13)における表面材(19)の前面板(23)に設けた把手枠(57)内に、上下方向を向くラッチ軸(58)と一体となって回動するように枢支されている。
把手枠(57)を上下方向に貫通したラッチ軸(58)の上下の端部には、図３に破線で、また図２および図４に想像線で示すように、表面材(19)の垂下片(28)に設けた切欠き(59)を通って、ガラス扉(５)の背面側に突出し、閉扉時に、天板(２)の前端部に設けた係合孔(図示略)の側縁に係脱しうるようにしたラッチ(60)(60)が、ラッチ軸(58)と一体となって回動するように設けられている。
【００４１】
ラッチ装置(55)は、把手(54)と一体に回動するラッチ軸(58)と、ラッチ(60)とからなり、閉扉時に、把手(54)を回動操作することにより、ラッチ(60)を天板(２)に係脱しうるようになっている。
【００４２】
施錠装置(56)は、左方の抗力側枠(13)における表面材(19)の前面板(23)に設けたシリンダ錠(61)と、このシリンダ錠(61)にキー(図示略)を挿入して回転させることにより、ガラス扉(５)の背面上下部において、上下方向外向きおよび内向きに、互いに同期して進退し、天板(２)の前端部下面、および底板(３)の前端部上面に設けた係合孔(図示略)に係脱しうるようにした上下１対の係止杆(62)とを備えている。
【００４３】
以上から明らかなように、図示の例においては、板ガラス(７)の上下および左右の縁を、それぞれ、上枠材(８)、下枠材(９)、および左右の縦枠材(10)(11)により覆い、かつ縦枠材(10)(11)の上下部を、上枠材(８)および下枠材(９)に結合し、さらに左右の縦枠材(10)(11)に、内端部が開口する薄型中空箱状をなし、扉の強度を担う抗力側枠(13)(14)を嵌合して、固着してあるので、扉全体の強度を低下させることなく、前面に露呈する板ガラス(７)の面積を極力大とすることができ、板ガラス(７)を通しての視認性や扉全体の体裁を向上させることができる。
【００４４】
特に、両側部に抗力側枠(13)(14)を設けてあるので、扉全体の曲げ強度を高めることができるとともに、扉の開閉時における他物との衝突から、板ガラス(７)を防護することができ、しかも、抗力側枠(13)(14)を利用して、ヒンジ装置(６)、把手(54)、ラッチ装置(55)、施錠装置(56)等の取付強度を必要とする部材を強固に取り付けることができる。
【００４５】
以上、本発明の一実施形態について説明したが、本発明は、この実施形態のみに限定されるものではなく、特許請求の範囲を逸脱することなく、幾多の変化変形が可能である。
例えば、ガラス扉(５)を、建物内の通路の開口部を開閉する引戸や吊戸として使用することもできる。
また、板ガラス(７)に代えて、アクリル板やその他の透明もしくは半透明の板材を用いることもできる。
【図面の簡単な説明】
【００４６】
【図１】本発明の一実施形態を備えるキャビネットの外観斜視図である。
【図２】図１のII−II線拡大縦断側面図である。
【図３】図１のIII−III線拡大横断平面図である。
【図４】要部を後方から見た拡大分解斜視図である。
【図５】要部を後方から見た拡大分解斜視図である。
【符号の説明】
【００４７】
(１)側板
(２)天板
(３)底板
(４)筐体
(５)ガラス扉
(６)ヒンジ装置
(７)板ガラス
(８)上枠材
(8a)基部
(8b)ガラス保持部
(９)下枠材
(9a)基部
(9b)ガラス保持部
(10)(11)縦枠材
(10a)(11a)基部
(10b)(11b)(11c)突片
(12)固定ねじ
(13)(14)抗力側枠
(15)(16)係合溝
(17)(18)係合溝
(19)(20)表面材
(21)(22)裏面材
(23)前面板
(24)外側片
(25)内向片
(26)前向片
(27)上片
(28)垂下片
(30)補強部材
(31)固定ねじ
(32)後面板
(33)(34)前向片
(35)凹入段部
(36)係合爪
(37)固定ねじ
(38)前面板
(39)外側片
(40)内向片
(41)前向片
(42)上片
(43)垂下片
(44)補強部材
(44a)基片
(44b)(44c)後向片
(44d)内向片
(44e)第２後向片
(44f)第２内向片
(44g)外向片
(45)固定ねじ
(46)後面板
(47)(48)前向片
(49)外向き係合片
(50)固定ねじ
(52)可動片
(53)固定片
(54)把手
(55)ラッチ装置
(56)施錠装置
(57)把手枠
(58)ラッチ軸
(59)切欠き
(60)ラッチ
(61)シリンダ錠
(62)係止杆
【図１】
0004723314.tif 000002
【図２】
0004723314.tif 000003
【図３】
0004723314.tif 000004
【図４】
0004723314.tif 000005
【図５】
0004723314.tif 000006